(57)【要約】【課題】印字、貼付、仕分及び分析等の時に接着剤が装置の部品に付着する等の問題がなく、かつ、ラベル貼付後の未使用採血管からＲＦＩＤインレットを残すことなくＲＦＩＤ付きラベルを剥がすことができ、さらに、製造も容易になるＲＦＩＤ付きラベル及び該ラベルを備えたラベルロール等を提供すること。【解決手段】本発明に係る試験管用ＲＦＩＤ付きラベルは、裏面の全面に接着層が形成されたラベルと、外形寸法が前記ラベルより小さく、前記ラベルの裏面に少なくともその外周より外側に所定の幅の接着層を残すように配置された、接着層を有さないＲＦＩＤインレットとから成ることを特徴とする。【選択図】図１
2018049095.tif 000002
【特許請求の範囲】
【請求項１】
裏面の全面に接着層が形成されたラベルと、
外形寸法が前記ラベルより小さく、前記ラベルの裏面に少なくともその外周より外側に所定の幅の接着層を残すように配置された、接着層を有さないＲＦＩＤインレットと
から成ることを特徴とする試験管用ＲＦＩＤ付きラベル。
【請求項２】
前記ＲＦＩＤインレットの外周より外側にある接着層の幅が、少なくとも２ｍｍである
ことを特徴とする請求項１に記載の試験管用ＲＦＩＤ付きラベル。
【請求項３】
請求項１又は２に記載のラベルを、剥離面を有する帯状の台紙の剥離面に設け、
該帯状の台紙をロール状に巻回して成る
ことを特徴とする試験管用ＲＦＩＤ付きラベルロール。
【請求項４】
請求項１又は２に記載のラベルを、剥離面を有する帯状の台紙の剥離面に設け、
該帯状の台紙を折り畳んで成る
ことを特徴とする試験管用ＲＦＩＤ付きラベル折り畳み台紙。
【発明の詳細な説明】
【技術分野】
【０００１】
本発明は、試験管に貼り付けるために用いられるＲＦＩＤ付きラベルに関する。また、本発明は、該試験管用ＲＦＩＤ付きラベルを備えたラベルロール及びラベル折り畳み台紙に関する。
【背景技術】
【０００２】
従来から、検査項目や患者ＩＤ等を含む医師からのオーダー情報に基づいて、検査項目に応じた採血管の種類や数に関する採血情報及び検体ＩＤをホストコンピュータにて決定し、前記採血情報、検体ＩＤ、検査項目及び患者ＩＤをホストコンピュータから入力して、採血情報に基づいて患者の採血に必要な採血管を自動的に選択して取出し、取り出した採血管に対応する患者の患者属性情報を文字で、かつ、検体ＩＤをバーコードでラベルに印字し、印字したラベルを採血管に貼付け、ラベル貼付後の採血管を患者毎にトレイや袋等に収容するように構成された採血管自動準備システムは提案されている（特許文献１参照）。
この採血管自動準備システムを用いることで、採血前の採血管の選択ミスや、採血すべき患者の取り間違い等の問題は解消され、安全で確実な採血環境を得ることができている。
しかし、バーコードは個々にバーコードリーダーでスキャンしてデータを読み取らなければならないため、読取を自動的に行う場合にはバーコードラベルが貼り付けられた試験管をバーコードリーダーの前を通過させる構造が必要になり、また、読取を手動で行う場合には、作業者が試験管を一つずつ手に取ってその試験管に貼り付けられているバーコードラベルをバーコードリーダーで読み取らなければならないという面倒な作業が強いられる。
上記した問題を解消するために、ラベルにＲＦＩＤインレットを設け、ラベル表面に検体ＩＤ等を印字すると共に、ラベルに設けたＲＦＩＤインレットのＩＣチップに必要な情報を書き込んで貼付用のラベルを作成し、作成後のラベルを試験管に貼り付けることが提案されている（特許文献２）。
上記したようにＲＦＩＤ付きラベルを用いることによりバーコードを用いていた時の問題点は解消し、全ての試験管の情報を一括で読み取ることができるようになる。
【０００３】
【特許文献１】特許３０７０５２２号
【特許文献２】特開2016-75565号公報
【発明の開示】
【発明が解決しようとする課題】
【０００４】
しかし、従来のＲＦＩＤ付きラベルには以下のような問題がある。
図５は従来のＲＦＩＤ付きラベルの概略裏面図を、図６は、従来のＲＦＩＤ付きラベルの製造方法を示す図５におけるＢ−Ｂ断面図である。
図面に示すように、従来のＲＦＩＤ付きラベルは、裏面全面に接着層（第１接着層）を有する感熱タック紙等から成るラベル（図６（ａ））の裏面にＲＦＩＤインレットを配置して、ＲＦＩＤインレットをラベル裏面に貼り付け（図６（ｂ））、その後、ＲＦＩＤインレットを含むラベルの裏面全体に、両面テープを貼り付けることで構成される（図６（ｃ））。
このため、ラベルの裏面は、第１接着層と両面テープ（第２接着層）とを二層に重ねた状態になり、粘着剤が過剰に設けられた状態となる。このため、ラベルの表面に文字やバーコード等を印字をするためにプリンタでラベルを上方から押さえつけると、ラベルの外周から第１接着層及び／又は両面テープ（第２接着層）の粘着剤が押し出されてはみ出し、これによりプリンタの印字ヘッドに粘着剤が付着してしまうという問題があった。ラベルを試験管に貼り付ける時も、貼り付けローラによってラベルを上方から押さえつけるため、同様に、ラベルの外周から第１接着層及び／又は両面テープの粘着剤が押し出されてはみ出すという問題が生じている。このように採血管に貼り付けられたラベルの縁部から粘着剤がはみ出していると、その後、仕分け装置や分析装置において、試験管に接触するアームやベルト等に粘着剤が付着する可能性があるという問題も生じる。
さらにまた、例えば、ＲＦＩＤへの情報の書込み間違え、ラベル表面への情報の印字間違え、医師からのオーダーのキャンセル等、様々な理由で、一度、採血管にラベルを貼り付けた後に、そのラベル貼付済採血管が不要になることがある。このような場合、通常は、不要となった未使用のラベル貼付済採血管からＲＦＩＤ付きラベルを剥がして、採血管を再利用するのだが、上記したように従来のＲＦＩＤ付きラベルは、ＲＦＩＤインレットを含むラベルの裏面全体に両面テープを貼り付けて形成されているため、ＲＦＩＤインレットの裏面にも両面テープによる接着層が形成される。このため、未使用採血管からＲＦＩＤ付きラベルを剥がす時に、剥がしている途中でラベルだけが破れて剥がれ、ＲＦＩＤインレットだけが採血管側に残ってしまうことがよくある。このように従来のＲＦＩＤ付きラベルの場合、不要になった時に、ラベルとＲＦＩＤインレットとをそれぞれ別々に剥がさなければならなくなることが多く、非常に面倒で手間がかかるという問題がある。
また、ＲＦＩＤインレットを確実に剥がした後で採血管を再利用するのであれば問題はないが、ＲＦＩＤインレットはラベルとは異なり透明であることが多いため、ラベルを剥がした時にＲＦＩＤインレットが採血管に残っていることに気が付かずに、ＲＦＩＤインレットが残ったまま採血管を再利用してしまう場合には、さらに問題になる。一度、採血管に貼り付けられたＲＦＩＤ付きラベルのＲＦＩＤインレットには、既に、採血に使用するための患者に関する情報が書き込まれている。ＲＦＩＤインレットを剥がさずに再利用してしまうと、既に、ある患者に関する情報が書き込まれたＲＦＩＤインレットが貼り付けられた採血管の上に、別の患者に関する情報が書き込まれたＲＦＩＤ付きラベルが貼り付けられることになるため、ＲＦＩＤから情報を読み取る時に読取エラーが生じてしまったり、別の患者の情報を読み取って処理が進んでしまったりする可能性がある。別の患者の情報を読み取って処理が進んでしまうと、その後に間違った処置がとられる可能性もあるので深刻な問題である。
さらにまた、上記したように、従来のＲＦＩＤ付きラベルは、裏面に接着層が設けられた感熱タック紙等のラベルの裏面に、ＲＦＩＤインレットを位置決めして貼り付け、さらに、ＲＦＩＤインレットを含むラベルの裏面全体に両面テープを位置決めして貼り付けなければならず、位置決めが面倒であり、かつ、二回の位置決めが必要になるため公差も大きくなるという問題もある。
本発明は、上記した従来の問題点を解決し、印字、貼付、仕分及び分析等の時に接着剤が装置の部品に付着する等の問題がなく、かつ、ラベル貼付後の未使用採血管からＲＦＩＤインレットを残すことなくＲＦＩＤ付きラベルを剥がすことができ、さらに、製造も容易になるＲＦＩＤ付きラベル、ＲＦＩＤ付きラベルロール及びＲＦＩＤ付きラベル折り畳み台紙を提供することを目的としている。
【課題を解決するための手段】
【０００５】
上記した目的を達成するために、本発明に係る試験管用ＲＦＩＤ付きラベルは、裏面の全面に接着層が形成されたラベルと、外形寸法が前記ラベルより小さく、前記ラベルの裏面に少なくともその外周より外側に所定の幅の接着層を残すように配置された、接着層を有さないＲＦＩＤインレットとから成ることを特徴とする。
前記ＲＦＩＤインレットの外周より外側にある接着層の幅は、少なくとも２ｍｍでありえる。
また、本発明に係る試験管用ＲＦＩＤ付きラベルロールは、裏面の全面に接着層が形成されたラベルと、外形寸法が前記ラベルより小さく、前記ラベルの裏面に少なくともその外周より外側に所定の幅の接着層を残すように配置された、接着層を有さないＲＦＩＤインレットとから成るＲＦＩＤ付きラベルを、剥離面を有する帯状の台紙の剥離面に複数設け、該帯状の台紙をロール状に巻回して成ることを特徴とする。
さらにまた、本発明に係る試験管用ＲＦＩＤ付きラベル折り畳み台紙は、裏面の全面に接着層が形成されたラベルと、外形寸法が前記ラベルより小さく、前記ラベルの裏面に少なくともその外周より外側に所定の幅の接着層を残すように配置された、接着層を有さないＲＦＩＤインレットとから成るＲＦＩＤ付きラベルを、剥離面を有する帯状の台紙の剥離面に複数設け、該帯状の台紙を折り畳んで成ることを特徴とする。
【発明の効果】
【０００６】
本発明に係る試験管用ＲＦＩＤ付きラベルは、裏面の全面に接着層が形成されたラベルと、外形寸法が前記ラベルより小さく、前記ラベルの裏面に少なくともその外周より外側に所定の幅の接着層を残すように配置された、接着層を有さないＲＦＩＤインレットとから成るので、印字、貼付、仕分及び分析等の時に接着剤が装置の部品に付着する等の問題が生じない、また、ＲＦＩＤインレットを残すことなくＲＦＩＤ付きラベルを採血管から剥がすことを容易に、しかも、確実に行うことができるようになるので、ラベル貼付後に不要になった未使用採血管を簡単に再利用することが可能になる。
前記ＲＦＩＤインレットの外周より外側にある接着層の幅は、好ましくは、少なくとも２ｍｍであり得る。製造公差を考慮すると２ｍｍを確保するためには、例えば、約４ｍｍ程度の幅が必要になる。このようにＲＦＩＤインレットの外周より外側にある接着層の幅を少なくとも２ｍｍとすることにより、製造公差によってＲＦＩＤインレットの位置がずれて、ＲＦＩＤインレットがラベルからはみ出したりする等の問題が生じない。また、前記接着層の幅を少なくとも２ｍｍとすることにより、ＲＦＩＤインレットの裏面に接着層を設けていなくても、確実にラベルを試験管に接着することが可能になる。
また、本発明に係る試験管用ＲＦＩＤ付きラベルロール及び試験管用ＲＦＩＤ付きラベル折り畳み台紙は、裏面の全面に接着層が形成されたラベルと、外形寸法が前記ラベルより小さく、前記ラベルの裏面に少なくともその外周より外側に所定の幅の接着層を残すように配置された、接着層を有さないＲＦＩＤインレットとから成るＲＦＩＤ付きラベルを、剥離面を有する帯状の台紙の剥離面に複数設け、該帯状の台紙をロール状に巻き回すか、又は、折り畳んで成るものであるので、既存の採血管自動準備装置に搭載されているプリンタ及びＲＦＩＤ用の書込装置等で利用することが可能である。
【図面の簡単な説明】
【０００７】
【図１】本発明に係るＲＦＩＤ付きラベルの概略裏面図である。
【図２】図１に示したＲＦＤＩ付きラベルのＡ−Ａ断面図である。
【図３】本発明に係るＲＦＩＤ付きラベルロールの概略斜視図である。
【図４】本発明に係るＲＦＩＤ付きラベル折り畳み台紙の概略斜視図である。
【図５】従来のＲＦＩＤ付きラベルの概略裏面図である。
【図６】従来のＲＦＩＤ付きラベルの製造方法を説明するためのＢ−Ｂ断面図である。
【発明を実施するための形態】
【０００８】
以下、添付図面を参照して本発明に係るＲＦＩＤ付きラベルの実施の形態を説明していく。
【０００９】
図１は、本発明に係るＲＦＩＤ付きラベルの概略裏面図であり、図２は図１におけるＡ−Ａ断面図である。
図面に示すように、ラベル１は、その裏面全面に接着層１ａが設けられている。
ラベル１の裏面中央には、ＲＦＩＤインレット２が設けられている。このＲＦＩＤインレット２は、透明な二枚の薄板３の間に、ＩＣチップ４及びアンテナ５を挟んで固定して成る。
上記したように構成されたＲＦＩＤインレット２は、図１に示すように、その外周寸法（即ち、縦横の長さ）がラベル１の外周寸法（縦横の長さ）より小さい。
ＲＦＩＤインレット２は、その周囲に、所定の幅の接着層１ａが残るように、ラベル１の裏面中央の位置で接着層１ａによってラベル１の裏面に接着固定されている。
ＲＦＩＤインレット２自体には接着層が設けられていないため、使用時にＲＦＩＤインレット２が設けられたラベル１は、ＲＦＩＤインレット２の周囲の接着層の部分だけで、試験管の表面に接着されることになる。
このようにＲＦＩＤインレット２の周囲の接着層の部分だけで、ラベル１が試験管の表面に接着されるように構成されているので、ＲＦＩＤインレット２が直接試験管に接着されることはなく、その結果、ラベル１を剥がした後に、ＲＦＩＤインレット２だけが試験管に貼りついたまま残ることはない。
さらに、従来のＲＦＩＤ付きラベルのように、ＲＦＩＤインレット２を含むラベルの裏面全体にさらに接着層を設けていないため、接着剤が過剰に配置されることがなくなり、その結果、印刷時及び貼付時にラベルの外周から接着剤が漏れ出ることがなくなる。
図示実施例では、前記ＲＦＩＤインレット２の周囲に残る接着層の幅ｗ１及びｗ２は、２ｍｍである。これらの幅ｗ１及びｗ２は、同じ幅でも良く、異なる幅でもよいが、採血管へ確実に接着されるように、少なくとも２ｍｍ以上の幅が確保されるように構成され得る。
上記したように構成されたＲＦＩＤ付きラベルＬは、剥離面７を有する帯状台紙８に並べて貼り付けられ、ラベルＬが貼り付けられた帯状台紙８はロール状に巻き回されてＲＦＩＤ付きラベルロール９として市場に供給される（図３参照）。
【００１０】
尚、本実施例及び従来技術を説明するためのラベルの断面図（図２及び図５）では、構成が明確になるように、ラベル、接着層及びインレットの厚みを、極端に厚く示しているが、ラベル、接着層及びインレットの厚みは本明細書の図面に限定されるものではない。
ＲＦＩＤ付きラベルＬの市場への供給形態は、ロールに限定されるものではなあく、例えば、剥離面１０７を有する帯状台紙１１に並べて貼り付けられ、ラベルＬが貼り付けられた帯状台紙１１を折り畳んでＲＦＩＤ付き折り畳み台紙１２として市場に供給してもよい（図４参照）。
【符号の説明】
【００１１】
Ｌ  ＲＦＩＤ付きラベル
１  ラベル
１ａ  接着層
２  インレット
３  透明薄板
４  ＩＣチップ
５  アンテナ
７  剥離面
８  帯状台紙
９  ＲＦＩＤ付きラベルロール
１０  剥離面
１１  帯状台紙
１２  ＲＦＩＤ付きラベル折り畳み台紙
【図１】
2018049095.tif 000003
【図２】
2018049095.tif 000004
【図３】
2018049095.tif 000005
【図４】
2018049095.tif 000006
【図５】
2018049095.tif 000007
【図６】
2018049095.tif 000008